(57)【要約】【課題】永久磁石と磁気スイッチングを応用した電力増殖器で少ない電気エネルギーを元に多量の電力を造り安い電気エネルギーを提供する。【解決手段】強力な永久磁石の磁力エネルギーを磁気スイッチングを利用して少ない電力で発電コイルの中を流回させて多量の電力を造る。【選択図】          図２
2004194421.tif 000002
【特許請求の範囲】
【請求項１】
電力増殖器コア１ａに永久磁石２ａ、磁気スイッチングコイル４ａ、磁気スイッチングコイル５ａ、発電コイル８ａ、発電コイル９ａを設け、永久磁石と磁気スイッチングを応用した事を特徴とする電力増殖器。
【請求項２】
電力増殖器コア１ｂに永久磁石２ｂ、磁気スイッチングコイル４ｂ、磁気スイッチング磁路４ｂａ、磁気スイッチングコイル５ｂ、磁気スイッチング磁路５ｂａ、発電コイル８ｂ、発電コイル９ｂを設け、永久磁石と磁気スイッチングを応用した事を特徴とする電力増殖器。
【請求項３】
電力増殖器コア１ｃに永久磁石２ｃ、磁気スイッチングコイル４ｃ、磁気スイッチング磁路４ｃａ、磁気スイッチング磁路用エアーギャップ４ｃｂ、磁気スイッチングコイル５ｃ、磁気スイッチング磁路５ｃａ、磁気スイッチング磁路用エアーギャップ５ｃｂ、発電コイル８ｃ、発電コイル９ｃを設け、永久磁石と磁気スイッチングを応用した事を特徴とする電力増殖器。
【請求項４】
中央に発電コイル８ｄを巻設した電力増殖器コア１ｄの両端部に磁気スイッチング磁路用エアーギャップ４ｄｃを設けた磁気スイッチング磁路４ｄｂ  及び  磁気スイッチング磁路用エアーギャップ５ｄｃを設けた磁気スイッチング磁路５ｄｂを、又  側部には磁気スイッチングコイル４ｄ、磁気スイッチング磁路４ｄａ、及び  磁気スイッチングコイル５ｄ、磁気スイッチング磁路５ｄａを設け、永久磁石と磁気スイッチングを応用した事を特徴とする電力増殖器。
【請求項５】
電力増殖器コア１ｅに永久磁石２ｅ、永久磁石３ｅ、磁気スイッチングコイル４ｅ、磁気スイッチング磁路４ｅａ、磁気スイッチングコイル５ｅ、磁気スイッチング磁路５ｅａ、磁気スイッチングコイル６ｅ、磁気スイッチング磁路６ｅａ、磁気スイッチングコイル７ｅ、磁気スイッチング磁路７ｅａ、発電コイル８ｅ、発電コイル９ｅを設け、永久磁石と磁気スイッチングを応用した事を特徴とする電力増殖器。
【発明の詳細な説明】
【０００１】
【発明が属する技術分野】
本発明は、  商用電源回路  及び  電気自動車等の電源回路において電力エネルギーを効率良く増殖する装置に関するものである。
【０００２】
【従来の技術】
従来は、倍電力変圧器（特願２００２−１４７１５５号）  電力増殖装置（特願２００２−２５０１１７号）  高効率型倍電力変圧器（特願２００２−３０１３５０号参照）等があったが電力倍増率において改良の余地があった。
【０００３】
【発明が解決しようとする課題】
前記３件の性能より効率を上げる。
【０００４】
【課題を解決するための手段】
前記３件の方式より異なった方式で電力を増殖する。
【０００５】
【実施例】
本発明は、透磁率の大きい珪素鋼等のコアに永久磁石を完全閉磁路に構成し、そのコアに磁気スイッチング用コイル  及び  発電用コイルを巻設したシンプル構造の電力増殖器である。
請求項第１項を第１図によって説明すると、透磁率の大きい珪素鋼板等を多数重ね合わせたコアの中央に永久磁石を磁気漏れのないよう完全閉磁路とし、そのコアの両端に磁気スイッチング用コイルと側部には発電用コイルをそれぞれ巻設する。
動作については電力増殖器コア１ａの中央に設けた永久磁石２ａの磁力線は左右のコアに自己透磁力によって５０％ずつ流回している、（この電力増殖器コア１ａのどの部分も永久磁石２ａの磁束密度１００％全てを流回する容量がある）そこに磁気スイッチングコイル４ａと磁気スイッチングコイル５ａに商用交流電源や直流電源をインバーター等で交流化した電流をダイオード等により２分割し（図６の脈流電流ｃとｄ）交互に印加する。
【０００６】
先ず脈流電流の半波（図６の脈流電流ｃ）を磁気スイッチングコイル４ａに入力する（永久磁石と磁気スイッチングコイルの磁極を同極となるように電極を合わせて入力する）磁気スイッチングコイル４ａの磁極と永久磁石２ａの磁極が同極なので反発をして閉磁路を磁気的に遮断をし磁力線も遮断するので永久磁石２ａの磁力エネルギー１００％全てが発電コイル９ａ側に流回する、この時磁気スイッチングコイル４ａの方に流回している磁力線は永久磁石２ａの磁束密度の５０％なので反発をさせる電気エネルギーは永久磁石２ａの磁束密度の５０％でよい、又  時間と共にスイッチングコイル４ａに印加した脈流電流が途切れると、反発した磁力線、つまり永久磁石２ａの磁束密度の５０％だけ磁気スイッチングコイル４ａと発電コイル８ａの方へ外部からのエネルギーに関係なく閉磁路の自己透磁力によって戻ってくると同時に脈流電流の反対側の半波（図６の脈流電流ｄ）が磁気スイッチングコイル５ａに流れると永久磁石２ａの磁力線とスイッチングコイル５ａの磁力線と反発をし、閉磁路を磁気的に遮断をし磁力線も遮断するので、この時も永久磁石２ａの磁束密度の５０％だけ反発してやる事で永久磁石２ａの磁束密度１００％全てが発電コイル８ａ内部を流回するので発電コイル８ａに永久磁石２ａの性能１００％の起電力が発生する。
【０００７】
つまり永久磁石２ａの磁力エネルギーの５０％の電気エネルギーを交互に入力する事で永久磁石２ａの磁力エネルギー１００％を発電コイル８ａ、発電コイル９ａ内部を流回させることが出来る、永久磁石の性能の５０％の電気エネルギーを入力すれば永久磁石の性能の１００％の電気出力が得られる事になる。
請求項第２項について説明すると、請求項第２項も請求項第１項とほぼ同じであるが違うところは、請求項第１項の方は磁気スイッチングコイルの磁力線が永久磁石の磁力線と直接反発をして空中へ流れるのに対して、請求項第２項の方は磁気スイッチングコイル独自の磁路を構成しており磁気スイッチングが動作中の磁力線は自己の磁路を流回しながら永久磁石の磁力線に反発をして閉磁路を磁気的に遮断し磁力線を遮断する。
【０００８】
請求項第２項を第２図について説明をすると、永久磁石２ｂの磁力線は磁気スイッチングコイル４ｂ内コア  及び  磁気スイッチング磁路４ｂａ側と磁気スイッチングコイル５ｂ内コア  及び  磁気スイッチング磁路５ｂａ側へ閉磁路の自己透磁力によって５０％づつ流回している、そこで先ず商用交流電源をダイオード等によって２分割した脈流電流の半波を磁気スイッチングコイル４ｂに印加すると磁気スイッチングコイル４ｂの磁力線は磁気スイッチング磁路４ｂａを流回しながら永久磁石２ｂの磁力線と反発をして閉磁路を磁気的に磁気スイッチングコイル４ｂ側だけ遮断をし磁力線も遮断する、この時磁気スイッチングコイル４ｂ側に流回している磁力線は永久磁石２ｂの磁束密度の５０％なのでこの５０％の磁力線だけを反発してやれば発電コイル９ｂ側には閉磁路の自己透磁力によって流回していた５０％の磁力線と合成されて永久磁石２ｂの磁力線１００％全てが流回するので発電コイル９ｂに多大な起電力が発生すると同時に磁気スイッチングコイル４ｂに印加されていた脈流電流が時間と共に途切れると再び閉磁路の自己透磁力によって磁気ス
【０００９】
イッチングコイル４ｂ側と磁気スイッチングコイル５ｂ側へ５０％づつの流回状態となると同時に脈流電流半波の逆の方が磁気スイッチングコイル５ｂに印加するので、磁気スイッチングコイル５ｂの磁力線は磁気スイッチング磁路５ｂａ内を流回しながら永久磁石２ｂの磁力線と反発をして閉磁路を磁気的に磁気スイッチングコイル５ｂ側だけ遮断し磁力線も遮断する、この時磁気スイッチングコイル５ｂ側に流回している磁力線も永久磁石２ｂの磁束密度の５０％なのでこの５０％の磁力線だけを反発してやれば発電コイル８ｂ側には閉磁路の自己透磁力によって流回していた５０％の磁力線と合成されて永久磁石２ｂの持つ全ての磁力エネルギーが発電コイル８ｂ内を流回するので発電コイル８ｂに多大な起電力が発生する。
【００１０】
請求項第３項は、  請求項第２項の磁気スイッチング磁路にエアーギャップを設けたもので、普通は磁気スイッチング磁路用エアーギャップ４ｃｂ、磁気スイッチング磁路用エアーギャップ５ｃｂには磁力線は流れていない、磁気スイッチングコイル４ｃ、磁気スイッチングコイル５ｃに脈流電流が印加された時だけ流れる、その他は請求項第２項と同じなので説明を省略する。
上記請求項第１項、第２項  及び  第３項の発電コイル８ａ、発電コイル９ａ、発電コイル８ｂ、発電コイル９ｂ、発電コイル８ｃ、及び  発電コイル９ｃの起電力を合成して出力電力とする。
請求項第４項を第４図によって説明をすると、中央に発電コイル８ｄを巻設した電力増殖器コア１ｄの、両側部にある永久磁石２ｄ、永久磁石３ｄ、磁気スイッチングコイル４ｄ内コア部、磁気スイッチング磁路４ｄａ、磁気スイッチングコイル５ｄ内コア部、磁気スイッチング磁路５ｄａは完全閉磁路状態にある。
【００１１】
そこに磁気スイッチングコイル４ｄと磁気スイッチングコイル５ｄに商用交流電源をダイオード等で２分割して印加する、先ず  ２分割した半波を磁気スイッチングコイル４ｄに入力されるとその磁力線は、磁気スイッチング磁路４ｄａを流回しながら永久磁石２ｄの磁力線と反発をして磁気的に閉磁路を磁気スイッチングコイル４ｄと磁気スイッチング磁路４ｄａの部分で遮断し磁力線も遮断するので永久磁石２ｄの磁力線は、磁気スイッチング磁路４ｄｂ  及び  磁気スイッチング磁路用エアーギャップ４ｄｃを流れて消費されるので、永久磁石３ｄの磁力線は電力増殖器コア１ｄを介して発電コイル８ｄ内を第４図上方から流回して発電コイル８ｄに起電力を発生させる、又  磁気スイッチングコイル４ｄに入力した脈流電流は時間と共に途切れて同時に反対側の脈流電流が磁気スイッチングコイル５ｄに入力され、その磁力線は磁気スイッチング磁路５ｄａを流回しながら永久磁石３ｄの磁力線と反発をして磁気的に閉磁路を磁気スイッチングコイル５ｄと磁気スイッチング磁路５ｄａの部分で遮断し磁力線も遮断するので永久磁石３ｄの磁力線は磁気スイッチング磁路５ｄｂと磁気スイッチング磁路用エアーギャップ５ｄｃを流れて消費されると同時に永久磁石２ｄの磁力線は電力増殖器コア１ｄを介して発電コイル８ｄ内を第４図下方から流回して発電コイル８ｄに起電力を発生させる。
【００１２】
この時永久磁石２ｄの磁力線と永久磁石３ｄの磁力線が発電コイル８ｄに第４図上下方向から交互に流れるので交流電流が出力される。
請求項第５項を第５図によって説明をすると、本装置は前記請求項第２項の装置を二台合体して同時に作動させるもので、大きな違いは発電コイルの出力電流は請求項第４項と同じ交流のみである。  （前記請求項第１項、第２項  及び  第３項の装置は、交流電流、又は  直流電流の出力選択が出来る）電力増殖器コア１ｅ、永久磁石２ｅ、永久磁石３ｅ、磁気スイッチングコイル４ｅ内コア、磁気スイッチング磁路４ｅａ、磁気スイッチングコイル５ｅ内コア、磁気スイッチング磁路５ｅａ、磁気スイッチングコイル６ｅ内コア、磁気スイッチング磁路６ｅａ、磁気スイッチングコイル７ｅ内コア、磁気スイッチング磁路７ｅａ、発電コイル８ｅのコア部、発電コイル９ｅのコア部は完全閉磁路状態を構成しており、永久磁石２ｅの磁力線と永久磁石３ｅの磁力線は磁気スイッチングコイル４ｅ、磁気スイッチングコイル５ｅ側と磁気スイッチングコイル７ｅ、磁気スイッチングコイル６ｅ側へ自己透磁力によってそれぞれ流回し合った状態にある。
【００１３】
先ず  商用交流電源をダイオード等によって２分割をして脈流電流にして磁気スイッチングコイル４ｅと磁気スイッチングコイル６ｅへ同時に印加するとそこで出来た磁力線は、磁気スイッチング磁路４ｅａ、及び  磁気スイッチング磁路６ｅａを流回して永久磁石２ｅ  及び  永久磁石３ｅの閉磁路を磁気的に遮断し磁力線も磁気スイッチング磁路４ｅａと磁気スイッチング磁路６ｅａ側を遮断するので、永久磁石２ｅの磁力線は磁気スイッチングコイル７ｅコア内、磁気スイッチング磁路７ｅａ、発電コイル９ｅ内を流回して大きな起電力を発生させる。又永久磁石３ｅの磁力線は磁気スイッチングコイル５ｅコア内、磁気スイッチング磁路５ｅａ、発電コイル８ｅ内を流回して大きな起電力を発生させる、この時流回する磁力線は永久磁石２ｅと永久磁石３ｅの１００％の磁力エネルギーである為発電コイルで発生する起電力は永久磁石の性能１００％である。
【００１４】
磁気スイッチングコイル４ｅと磁気スイッチングコイル６ｅに印加された脈流電流は時間と共に途切れて磁気スイッチング磁路４ｅａ、及び  磁気スイッチング磁路６ｅａの磁力線遮断作用が終わると永久磁石２ｅの磁力線と永久磁石３ｅの磁力線は  又  外部エネルギーに関係なく自己透磁力によって流回し合った状態となり２分割した脈流電流の他側方の電流が磁気スイッチングコイル５ｅと磁気スイッチングコイル７ｅに印加されるので、その磁力線は磁気スイッチング磁路５ｅａと磁気スイッチング磁路７ｅａを流回して永久磁石２ｅと永久磁石３ｅの閉磁路を磁気的に遮断し磁力線も磁気スイッチング磁路５ｅａと磁気スイッチング磁路７ｅａ側を遮断すると永久磁石２ｅの磁力線は磁気スイッチングコイル４ｅ内コア、磁気スイッチング磁路４ｅａと発電コイル８ｅ内を流回して大きな起電力を発生する、又  永久磁石３ｅの磁力線は磁気スイッチングコイル６ｅ内コア、磁気スイッチング磁路６ｅａと発電コイル９ｅ内を流回して大きな起電力を発生する。  この二つの発電コイルに発生した起電力は同位相に合成して出力電流とする。
【００１５】
【発明の効果】
Ａ−少ない電気料金で沢山の電気が使える。
Ｂ−小さな発電所で多くの電気が使える。
Ｃ−小さなバッテリーを使用して大きな電気自動車を走らせながら且つバッテリーの充電もできる永久サイクルが可能である。
Ｄ−送電設備が小型化  及び  コストダウンできる等の多くのメリットがある。
Ｅ−原子力発電所等危険な設備が無くても人類は文化生活が営める。
【図面の簡単な説明】
【図１】本発明請求項第１項の正面図である。
【図２】本発明請求項第２項の正面図である。
【図３】本発明請求項第３項の正面図である。
【図４】本発明請求項第４項の正面図である。
【図５】本発明請求項第５項の正面図である。
【図６】本発明装置の入力電流  及び  出力電流の波形
【符号の説明】
１ａ      電力増殖器コア
１ｂ      電力増殖器コア
１ｃ      電力増殖器コア
１ｄ      電力増殖器コア
１ｅ      電力増殖器コア
２ａ      永久磁石
２ｂ      永久磁石
２ｃ      永久磁石
２ｄ      永久磁石
２ｅ      永久磁石
３ｄ      永久磁石
３ｅ      永久磁石
４ａ      磁気スイッチングコイル
４ｂ      磁気スイッチングコイル
４ｃ      磁気スイッチングコイル
４ｄ      磁気スイッチングコイル
４ｅ      磁気スイッチングコイル
４ｂａ    磁気スイッチング磁路
４ｃａ    磁気スイッチング磁路
４ｃｂ    磁気スイッチング磁路用エアーギャップ
４ｄａ    磁気スイッチング磁路
４ｄｂ    磁気スイッチング磁路
４ｄｃ    磁気スイッチング磁路用エアーギャップ
４ｅａ    磁気スイッチング磁路
５ａ      磁気スイッチングコイル
５ｂ      磁気スイッチングコイル
５ｂａ    磁気スイッチング磁路
５ｃ      磁気スイッチングコイル
５ｃａ    磁気スイッチング磁路
５ｃｂ    磁気スイッチング磁路用エアーギャップ
５ｄ      磁気スイッチングコイル
５ｄａ    磁気スイッチング磁路
５ｄｂ    磁気スイッチング磁路
５ｄｃ    磁気スイッチング磁路用エアーギャップ
５ｅ      磁気スイッチングコイル
５ｅａ    磁気スイッチング磁路
６ｅ      磁気スイッチングコイル
６ｅａ    磁気スイッチング磁路
７ｅ      磁気スイッチングコイル
７ｅａ    磁気スイッチング磁路
８ａ      発電コイル
８ｂ      発電コイル
８ｃ      発電コイル
８ｄ      発電コイル
８ｅ      発電コイル
９ａ      発電コイル
９ｂ      発電コイル
９ｃ      発電コイル
９ｅ      発電コイル
ｃ        交流電流を２分割した脈流電流波形
ｄ        交流電流を２分割した脈流電流波形
ｅ        発電コイル８ａと発電コイル９ａ、発電コイル８ｂと発電コイル９ｂ、発電コイル８ｃと発電コイル９ｃ、を同位相に接続した出力電流波形
ｆ        発電コイル８ａと発電コイル９ａ、発電コイル８ｂと発電コイル９ｂ、発電コイル８ｃと発電コイル９ｃを逆位相に接続した場合と発電コイル８ｅと発電コイル９ｅを同位相に接続した場合と発電コイル８ｄの出力電流波形
Ｎ        永久磁石  及び  スイッチング電磁石の磁極性
Ｓ        永久磁石  及び  スイッチング電磁石の磁極性
【図１】
2004194421.tif 000003
【図２】
2004194421.tif 000004
【図３】
2004194421.tif 000005
【図４】
2004194421.tif 000006
【図５】
2004194421.tif 000007
【図６】
2004194421.tif 000008